(57)【特許請求の範囲】
【請求項１】
利用時間を設定して利用者に設備を貸与するための時間貸設備であって、
利用者からの入力を受け付ける利用者入力手段と通信回線を介して接続されるとともに当該設備を管理するための管理機器を備え、
前記管理機器は、
所定の利用者に関する利用者情報、および当該利用者に対して予め付与され所定期間中に予約可能な上限時間を設定した予約上限時間を管理する利用者情報管理部と、
前記予約上限時間を超えない範囲の利用時間を前記利用者入力手段から受け付けた場合に、当該利用時間および予約日時を予約情報として管理する予約情報管理部と、
前記予約情報管理部が予約を受け付けた際に前記利用時間を差し引いて前記予約上限時間の情報を更新するとともに、前記予約情報の予約日時を経過した場合に、必ず当該予約情報における前記利用時間を前記予約上限時間に加えて当該予約上限時間の情報を更新する予約時間更新部と、を備える
ことを特徴とする時間貸設備。
【請求項２】
請求項１に記載の時間貸設備において、
前記管理機器は、
所定期間中における前記予約上限時間の長さに応じて貸与料金を課金する課金管理部を備える
ことを特徴とする時間貸設備。
【発明の詳細な説明】
【技術分野】
【０００１】
本発明は、利用時間を設定して利用者に設備を貸与するための時間貸設備に関する。
【背景技術】
【０００２】
従来、ビルやオフィス、ホテル等の空会議室（設備）を一般の利用者に向けてレンタルするためのシステムが提案されている（例えば、特許文献１参照）。特許文献１に記載されたレンタルシステムは、インターネット等の通信ネットワークに公開された管理サーバと、会議室の情報が保存された複数の予約サーバと、を備え、利用者が管理サーバを介して予約サーバの会議室情報にアクセスするとともに、所望の会議室を予約することができるように構成されている。さらに、レンタルシステムは、課金機能も備えており、レンタル料金の支払もオンラインで実行できるようになっている。【０００３】
一方、ホテルやレンタルスペース等の空間（設備）の利用調整に電子チケット（回数券）を用いる方法が提案されている（例えば、特許文献２参照）。特許文献２に記載された空間の利用調整方法では、回数券である電子チケットの用い方は３通りあり、空間を指定時間で時間貸しする第１電子チケットと、空間を時間指定無しで利用可能な第２電子チケットと、空間を現時点で時間貸しする際、すなわち、第２電子チケットを利用する際に利用者に送信される第３電子チケットと、が利用される。このように３通りの電子チケットを用いることで、予め時間を指定して電子チケットを使いたい場合と、時間を指定せずに回数券として電子チケットを保持したい場合と、で電子チケットを使い分けることができ、利用者は、電子チケット（回数券）を、予約券または当日利用可能な空間利用券として使うことができる。
【先行技術文献】
【特許文献】
【０００４】
【特許文献１】特開２００２−１５０１７８号公報
【特許文献２】特開２０１７−８４１８１号公報
【発明の概要】
【発明が解決しようとする課題】
【０００５】
しかしながら、特許文献１、２に記載されたような従来のシステムでは、設備を利用するごとに利用料金が課金されることから、利用者は、予約を行う際に慎重にならざるを得ず、予約することを躊躇してしまうことがあり、利用者の利便性を高めることが難しかった。また、従来のシステムでは、特定の曜日や時間帯に予約が集中し、他の時間帯には予約が入らず、設備の運用効率低下を招いてしまうこともあった。【０００６】
本発明の目的は、利用者からの予約を受け付けやすくして利便性を高めるとともに、設備の運用効率を高めることができる時間貸設備を提供することである。
【課題を解決するための手段】
【０００７】
本発明の時間貸設備は、利用時間を設定して利用者に設備を貸与するための時間貸設備であって、利用者からの入力を受け付ける利用者入力手段と通信回線を介して接続されるとともに当該設備を管理するための管理機器を備え、前記管理機器は、所定の利用者に関する利用者情報、および当該利用者に対して予め付与され所定期間中に予約可能な上限時間を設定した予約上限時間を管理する利用者情報管理部と、前記予約上限時間を超えない範囲の利用時間を前記利用者入力手段から受け付けた場合に、当該利用時間および予約日時を予約情報として管理する予約情報管理部と、前記予約情報管理部が予約を受け付けた際に前記利用時間を差し引いて前記予約上限時間の情報を更新するとともに、前記予約情報の予約日時を経過した場合に、必ず当該予約情報における前記利用時間を前記予約上限時間に加えて当該予約上限時間の情報を更新する予約時間更新部と、を備えることを特徴とする。
【０００８】
このような本発明によれば、時間貸設備の管理機器は、利用者情報および予約上限時間を管理する利用者情報管理部と、利用時間および予約日時を予約情報として管理する予約情報管理部と、予約上限時間から利用時間を差し引いて予約上限時間の情報を更新する予約時間更新部と、を備え、予約時間更新部は、予約情報の予約日時を経過した場合、または予約情報を消去した場合に、予約情報における利用時間を予約上限時間に加えて予約上限時間の情報を更新することで、利用者は、所定期間中に繰り返し設備を利用することができる。したがって、利用者は、予約上限時間を超えない範囲であれば気軽に予約を行うことができ、時間貸設備は、利用者の利便性を高めることができる。また、予約日時を経過した場合や予約情報を消去（キャンセル）した場合には、その分の利用時間が加えられて予約上限時間が更新されるので、利用者の積極的な予約行動を促すことになり、設備の運用効率を高めることができる。【０００９】
この際、本発明では、前記管理機器は、所定期間中における前記予約上限時間の長さに応じて貸与料金を課金する課金管理部を備えることが好ましい。【００１０】
このような構成によれば、管理機器は、所定期間中における予約上限時間の長さに応じて貸与料金を課金する課金管理部を備えることで、利用者は、予約上限時間を超えない範囲で時間貸設備を繰り返し定額にて利用することができる。
【図面の簡単な説明】
【００１１】
【図１】本発明の一実施形態に係る時間貸設備の概略構成図
【図２】前記時間貸設備の管理機器の構成を示すブロック図
【図３】前記時間貸設備の管理機器の動作を示すフローチャート
【図４】前記時間貸設備における予約動作を示す図
【図５】前記時間貸設備における他の予約動作を示す図
【図６】前記時間貸設備におけるさらに他の予約動作を示す図
【発明を実施するための形態】
【００１２】
以下、本発明の一実施形態を図面に基づいて説明する。
図１は、本発明の一実施形態に係る時間貸設備の概略構成図である。
時間貸設備は、図１に示すように、当該設備を管理するための管理機器であるホスト１と、利用者に貸与するための設備である複数の部屋２０と、を備え、複数の部屋２０を有した複数の建物２が存在している。ホスト１および建物２と、利用者が所持する携帯電話やスマートフォン、パーソナルコンピュータ等の端末装置３と、部屋２０のレンタルを予約するための予約サイト４と、は通信回線としての公衆ネットワークであるインターネット５を介して相互に接続可能になっている。利用者は、利用者入力手段である端末装置３を用いてインターネット５を介して予約サイト４にアクセスし、目的に応じた部屋２０を探し、利用時間を指定して予約を実行することができる。予約サイト４は、利用者からの予約を受け付けると、予約が確定した部屋２０と予約時間を含む予約情報をホスト１に送信する。
【００１３】
建物２は、会議室やトレーニングルーム等の複数の部屋２０を備え、各部屋２０には、出入口２１と、出入口２１を施解錠するための錠装置２２とが設けられている。錠装置２２は、予約サイト４から利用者の端末装置３に発行される暗証番号やバーコード等の認証キーによって解錠可能になっており、この認証キーは、利用するたびにランダムに変更され、その時間に予約した利用者だけが固有の認証キーを用いて錠装置２２を解錠できるようになっている。各部屋２０には、ＬＡＮ（Local Area Network）を介してモデムやルータ等の通信端末装置２３が接続されており、この通信端末装置２３を介して各部屋２０の錠装置２２や、部屋２０の内部に設けられる付属機器がインターネット５に接続されている。なお、本実施形態では、解錠キーは、暗証番号や、バーコード等を採用しているが、例えば、顔認証や、指紋認証や、網膜認証などの生体認証を採用してもよく、錠装置２２を解錠可能とすることができれば、どのようなものであってもよい。
【００１４】
図２は、時間貸設備の管理機器の構成を示すブロック図である。
管理機器であるホスト１は、サーバ装置によって構成され、図２に示すように、ＣＰＵ（Central Processing Unit）等からなる制御手段３０と、ＨＤＤ（Hard Disk Drive）等の記憶装置からなる記憶手段４０と、を備える。
【００１５】
制御手段３０は、予め登録された所定の利用者に関する利用者情報を管理する利用者情報管理部３１と、利用者から予約サイト４を介して予約された予約情報を管理する予約情報管理部３２と、とを備える。利用者情報管理部３１は、登録された利用者に対して予め付与され所定期間中に予約可能な上限時間を設定した予約上限時間を管理する。予約情報管理部３２は、予約上限時間を超えない範囲の利用時間を端末装置３から受け付けた場合に、利用時間および予約日時を予約情報として管理する。制御手段３０は、予約情報管理部３２が予約を受け付けた際に利用時間を差し引いて予約上限時間の情報を更新する予約時間更新部３３を備える。予約時間更新部３３は、予約情報の予約日時を経過した場合、または予約情報を消去した場合に、その予約情報における利用時間を予約上限時間に加えて予約上限時間の情報を更新する。さらに、制御手段３０は、予約情報に基づいて貸与する部屋２０の割り当てを行う空間割当部３４と、貸与する部屋２０の貸与料金を課金する課金管理部３５と、通信端末装置２３や予約サイト４、利用者の端末装置３との通信を制御する通信部３６と、を備えている。
【００１６】
課金管理部３５は、利用者からの都度予約に応じて貸与する部屋２０の貸与料金を課金する従量課金部３５１と、所定期間中における予約上限時間の長さに応じて定額の貸与料金を課金する定額課金部３５２と、を備える。従量課金部３５１は、予約サイト４を介して利用者から受け付けた部屋２０の利用日時や利用時間、部屋２０の広さなどに応じて、貸与料金を算出して課金する。定額課金部３５２は、予約サイト４を介して利用者から定額利用の登録を受け付けた場合、例えば利用開始から1カ月間等の所定期間を定め、この所定期間中における所定の予約上限時間を設定し、予約上限時間に基づいて定額の貸与料金を課金する。
【００１７】
記憶手段４０は、管理する全ての部屋２０の情報を記憶する空間情報記憶部４１と、所定の利用者の利用者情報を記憶する利用者情報記憶部４２と、所定の利用者の利用者情報と関連付けて予約上限時間を記憶する予約上限時間記憶部４３と、部屋２０を利用する利用時間および予約日時を含む予約情報を記憶する予約情報記憶部４４と、予約情報に関連付けて部屋２０の割り当て情報を記憶する割当情報記憶部４５と、予約情報に関連付けて部屋２０の貸与料金を記憶する課金情報記憶部４６と、を備える。制御手段３０は、利用者情報管理部３１が登録された利用者の利用者情報を利用者情報記憶部４２に記憶させ、予め利用者が設定した予約上限時間を予約上限時間記憶部４３に記憶させる。また、制御手段３０の予約情報管理部３２は、利用者からの予約を受け付けたら、予約情報を予約情報記憶部４４に記憶させるとともに、貸与する部屋２０の割り当てを空間割当部３４に実行させて部屋２０の割り当て情報を割当情報記憶部４５に記憶させる。さらに、制御手段３０の課金管理部３５は、都度予約を受け付けた場合は従量課金部３５１が貸与料金を算出して課金し、定額利用の利用者に対しては定額課金部３５２が所定期間中における予約上限時間の長さに応じて貸与料金を課金し、それぞれ課金情報を課金情報記憶部４６に記憶させる。
【００１８】
なお、利用者情報管理部３１、予約情報管理部３２、予約時間更新部３３、空間割当部３４、課金管理部３５および通信部３６は、サーバ装置のＣＰＵによりプログラムとして実行されてもよいし、それぞれ独立した機器で構成されてもよいし、クラウドコンピューティングを利用して構成されてもよい。また、記憶手段４０は、ＨＤＤ等の記憶装置によって構成されてもよいし、クラウドサービスの記憶手段を利用したものであってもよい。また、利用者入力手段として機能する端末装置３としては、利用者からの入力を受け付ける入力部、利用者に情報を報知するための表示部、ホスト１との間で情報を送受信するための通信部、これらの入力部や表示部、通信部等を制御する制御部を備えたスマートフォン等の機器であってもよいし、入力部、表示部、通信部および制御部がそれぞれ独立した機器で構成されたものであってもよい。
【００１９】
図３は、時間貸設備の管理機器の動作を示すフローチャートである。
図３のフローチャートでは、所定期間として１カ月間の設備利用の予約に係るホスト１の動作手順が示され、定額利用に係るホスト１の動作手順が示されている。ホスト１の制御手段３０は、利用者が登録した所定期間（例えば、1カ月間）の定額利用の利用開始とともに、登録利用者について予め設定された予約上限時間を、利用者情報記憶部４２に記憶された利用者情報と関連付けて予約上限時間記憶部４３に記憶させる（予約上限時間設定工程：ステップＳＴ１１）。予約上限時間としては、例えば、５時間や１０時間など任意に設定可能であり、以降では予約上限時間として３時間に設定した場合について説明する。次に、制御手段３０の定額課金部３５２は、所定期間の予約上限時間（３時間）に応じて貸与料金を課金し、その課金情報を課金管理部３５が課金情報記憶部４６に記憶させるとともに、登録利用者に請求する（貸与料金課金工程：ステップＳＴ１２）。
【００２０】
次に、制御手段３０は、予約サイト４からの予約の受け付けを待機する待機状態となる。待機状態において、予約サイト４からの予約を予約情報管理部３２が受け付けると（ステップＳＴ１３でＹＥＳ）、その予約情報に含まれる利用時間と、予約上限時間記憶部４３に記憶された予約上限時間と、に基づき、利用時間が予約上限時間以内であるか否かを判断する（ステップＳＴ１４）。予約された利用時間が予約上限時間以内である場合（ステップＳＴ１４でＹＥＳ）、制御手段３０は、予約情報管理部３２によって予約情報を予約情報記憶部４４に記憶させる（予約情報入力工程：ステップＳＴ１５）。次に、制御手段３０は、予約情報と空間情報記憶部４１に記憶された全部屋２０の情報とに基づき、空間割当部３４によって貸与する部屋２０の割り当て情報を設定させ、割り当て情報を割当情報記憶部４５に記憶させる（割り当て情報設定工程：ステップＳＴ１６）。次に、制御手段３０は、受け付けた予約情報に含まれる利用時間に基づき、予約時間更新部３３によって予約上限時間から利用時間を差し引いて予約上限時間の情報を更新し、更新した予約上限時間を予約上限時間記憶部４３に記憶させる（予約上限時間更新工程：ステップＳＴ１７）。
【００２１】
図４は、時間貸設備における予約動作を示す図である。
図４（Ａ）に示すように、ある時点Ｔ１において、３時間の予約上限時間を有する登録利用者に関して、それぞれ利用時間が１時間の第１および第２の予約Ｒ１，Ｒ２が既に入力されており、他の利用者の他の予約ＲＸが入力されている。このとき、予約上限時間としては、初期の３時間から第１および第２の予約Ｒ１，Ｒ２の合計である２時間が差し引かれて１時間になっている。ここで、図４（Ｂ）に示すように、利用者から利用時間が１時間の新たな第３の予約Ｒ３を受け付け（ステップＳＴ１３）、第３の予約Ｒ３が他の予約ＲＸと重複しない場合、予約情報管理部３２は、第３の予約Ｒ３の利用時間（１時間）が予約上限時間（１時間）以内であると判断し（ステップＳＴ１４でＹＥＳ）、第３の予約Ｒ３を予約情報記憶部４４に記憶させる（ステップＳＴ１５）。さらに、予約時間更新部３３は、予約上限時間から第３の予約Ｒ３の利用時間を差し引いて予約上限時間の情報を更新し、更新した予約上限時間（０時間）を予約上限時間記憶部４３に記憶させる（予約上限時間更新工程：ステップＳＴ１７）。
【００２２】
一方、ステップＳＴ１４において、利用時間が予約上限時間を超えていると判断した場合（ステップＳＴ１４でＮＯ）、予約情報管理部３２は、予約を受け付け不能として処理し（ステップＳＴ１８）、制御手段３０は、待機状態に戻る。すなわち、図４（Ｃ）に示すように、既に第１〜第３の予約Ｒ１，Ｒ２，Ｒ３が入力され、予約上限時間が０時間となっている状態において、新たな第４の予約Ｒ４を受け付けたとしても、予約情報管理部３２は、第４の予約Ｒ４の利用時間（１時間）が予約上限時間（０時間）を超えていると判断する（ステップＳＴ１４でＮＯ）。したがって、新たな第４の予約Ｒ４は入力されず、予約上限時間も更新されずに待機状態となる。
【００２３】
また、図３に示すように、制御手段３０は、待機状態において、新たな予約を受け付けず（ステップＳＴ１３でＮＯ）、予約の取り消しを受け付けた場合（ステップＳＴ１９でＹＥＳ）、予約情報管理部３２は、取り消しを受け付けた予約に係る予約情報を予約情報記憶部４４から削除する。さらに、制御手段３０は、予約情報に含まれる利用時間に基づき、予約時間更新部３３によって予約上限時間に利用時間を加えて予約上限時間の情報を更新し、更新した予約上限時間を予約上限時間記憶部４３に記憶させる（予約上限時間更新工程：ステップＳＴ１７）。さらに、制御手段３０は、待機状態において、新たな予約を受け付けず（ステップＳＴ１３でＮＯ）、予約の取り消しも受け付けない場合（ステップＳＴ１９でＮＯ）、最も近い予約の予約日時を経過した場合（ステップＳＴ２０でＹＥＳ）、予約情報管理部３２は、その予約に係る予約情報を予約情報記憶部４４から削除する。さらに、制御手段３０は、削除した予約情報に含まれる利用時間に基づき、予約時間更新部３３によって予約上限時間に利用時間を加えて予約上限時間の情報を更新し、更新した予約上限時間を予約上限時間記憶部４３に記憶させる（予約上限時間更新工程：ステップＳＴ１７）。最も近い予約の予約日時を経過していなければ（ステップＳＴ２０でＮＯ）、制御手段３０は、待機状態に戻る。
【００２４】
図５は、時間貸設備における他の予約動作を示す図である。
図５（Ａ）は、図４（Ｂ）と同様に、ある時点Ｔ１において、３時間の予約上限時間を有する利用者に関して、利用時間がそれぞれ１時間の第１〜第３の予約Ｒ１，Ｒ２，Ｒ３が既に入力され、予約上限時間として０時間になっている状態が示されている。この状態から、図５（Ｂ）に示すように、第１の予約Ｒ１が取り消された場合（ステップＳＴ１９でＹＥＳ）、予約情報管理部３２は、第１の予約Ｒ１を予約情報記憶部４４から削除するとともに、予約時間更新部３３は、予約上限時間に第１の予約Ｒ１の利用時間を加えて予約上限時間の情報を更新し、更新した予約上限時間（１時間）を予約上限時間記憶部４３に記憶させる（ステップＳＴ１７）。したがって、利用時間が１時間を超えない範囲の新たな第４の予約Ｒ４を受け付け可能となる。
【００２５】
図６は、時間貸設備におけるさらに他の予約動作を示す図である。
図６（Ａ）は、図４（Ｂ）と同様に、ある時点Ｔ１において、３時間の予約上限時間を有する利用者に関して、利用時間がそれぞれ１時間の第１〜第３の予約Ｒ１，Ｒ２，Ｒ３が既に入力され、予約上限時間として０時間になっている状態が示されている。この状態から、図６（Ｂ）に示すように、第１の予約Ｒ１の予約日時を経過した時点Ｔ２になると（ステップＳＴ２０でＹＥＳ）、予約情報管理部３２は、第１の予約Ｒ１を予約情報記憶部４４から削除するとともに、予約時間更新部３３は、予約上限時間に第１の予約Ｒ１の利用時間を加えて予約上限時間の情報を更新し、更新した予約上限時間（１時間）を予約上限時間記憶部４３に記憶させる（ステップＳＴ１７）。したがって、利用時間が１時間を超えない範囲の新たな第４の予約Ｒ４を受け付け可能となる。
【００２６】
以上のようにして制御手段３０は、予約の受け付け、予約の取り消し、または予約日時の経過に基づいて、予約時間更新部３３が予約上限時間を更新することで、利用者は、新たな予約を繰り返し入力することができる。そして、制御手段３０は、定額利用の所定期間が終了する時期（例えば、利用開始から1カ月経過する日）になるまで上述の各工程（ステップＳＴ１３〜ＳＴ２０）を繰り返し、所定期間を過ぎて利用期限切れと判断したら（ステップＳＴ２１でＹＥＳ）、処理を終了する。
【００２７】
このような本実施形態によれば、以下の作用・効果を奏することができる。
（１）時間貸設備のホスト１は、利用者情報および予約上限時間を管理する利用者情報管理部３１と、利用時間および予約日時を予約情報として管理する予約情報管理部３２と、予約上限時間から利用時間を差し引いて予約上限時間の情報を更新する予約時間更新部３３と、を備え、予約時間更新部３３は、予約情報の予約日時を経過した場合、または予約情報を消去した場合に、予約情報における利用時間を予約上限時間に加えて予約上限時間の情報を更新することで、利用者は、所定期間中に繰り返し部屋２０を予約して利用することができる。したがって、利用者は、予約上限時間を超えない範囲であれば気軽に予約を行うことができ、利用者の利便性を高めることができる。また、予約日時を経過した場合や予約情報を消去（キャンセル）した場合には、その分の利用時間が加えられて予約上限時間が更新されるので、利用者の積極的な予約行動を促すことになり、部屋２０の運用効率を高めることができる。
【００２８】
（２）ホスト１は、所定期間中における予約上限時間の長さに応じて貸与料金を課金する課金管理部３５の定額課金部３５２を備えることで、利用者は、予約上限時間を超えない範囲で時間貸設備の部屋２０を繰り返し定額にて利用することができる。
【００２９】
〔実施形態の変形〕
なお、本発明は、前記実施形態に限定されるものではなく、本発明の目的を達成できる範囲での変形、改良等は本発明に含まれるものである。
例えば、前記実施形態では、時間貸設備として建物２の部屋２０をレンタルするレンタルルームを例示したが、時間貸設備としては、会議室等のレンタルルームに限らず、屋外のスペースであるテニスコートや野球場、競技場、駐車場等のレンタルスペースであってもよいし、カラオケルームやレンタルオフィス、読書スペース等であってもよい。また、貸与する設備としては、建物２等の不動産に付帯するものに限らず、様々な物品などの動産であってもよい。
また、前記実施形態では、時間貸設備は、複数の建物２の各部屋２０をグループ化し、利用者は、予約上限時間を超えない範囲で時間貸設備の部屋２０を繰り返し定額にて利用することができていたが、建物２は、１つであってもよく、部屋２０は、１つであってもよい。
【００３０】
前記実施形態では、管理機器としてのホスト１は、建物２および予約サイト４と通信回線であるインターネット５を介して接続されたサーバ装置によって構成される場合を例示したが、管理機器としては、このような集中管理型のサーバ装置によって構成されるものに限られない。すなわち、管理機器としては、分散管理型のものであってもよく、例えば、ブロックチェーンに代表される分散型取引台帳を利用したものなどが利用可能であり、利用者情報や予約情報を管理できるものであればよい。また、前記実施形態では、管理機器としてのホスト１と予約サイト４とが別個に設けられるとともに、互いにインターネット５を介して接続されていたが、これに限らず、ホスト１と予約サイト４とが単一のサイトに設けられていてもよいし、管理機器の機能と予約サイトの機能とがインターネット上に分散された複数の機器によって構成されていてもよい。
【００３１】
前記実施形態では、制御手段３０は、所定期間としての１カ月間を単位として予約上限時間を設定するとともに、この予約上限時間に基づいて貸与料金を課金することとしたが、所定期間としては、１カ月間に限らず、１週間でもよいし、半年や１年あるいは無期限でもよく、所定期間の長さは適宜に設定することが可能である。また、前記実施形態では、所定期間中においては予約上限時間が変更できないものとなっていたが、これに限らず、所定期間中に予約上限時間を変更できるようにしてもよい。その場合には、貸与料金の課金方法を日割りなどの適宜な手法によって算出する機能を課金管理部が有していればよい。
【産業上の利用可能性】
【００３２】
以上のように、本発明は、利用者からの予約を受け付けやすくして利便性を高めるとともに、設備の運用効率を高めることができる時間貸設備に好適に利用できる。
【符号の説明】
【００３３】
１      ホスト（管理機器）
３      端末装置（利用者入力手段）
５      インターネット（通信回線）
２０      部屋（設備）
３０      制御手段
３１      利用者情報管理部
３２      予約情報管理部
３３      予約時間更新部
３５      課金管理部
３５２    定額課金部
【要約】
【課題】利用者からの予約を受け付けやすくして利便性を高めるとともに、設備の運用効率を高めることができる時間貸設備を提供。
【解決手段】利用時間を設定して利用者に設備を貸与するための時間貸設備の管理機器であるホスト１は、利用者に関する利用者情報、および利用者に対して予め付与され所定期間中に予約可能な上限時間を設定した予約上限時間を管理する利用者情報管理部３１と、予約上限時間を超えない範囲の利用時間および予約日時を予約情報として管理する予約情報管理部３２と、予約を受け付けた際に利用時間を差し引いて予約上限時間の情報を更新する予約時間更新部３３と、を備える。予約時間更新部３３は、予約情報の予約日時を経過した場合、または予約情報を消去した場合に、予約情報における利用時間を予約上限時間に加えて予約上限時間の情報を更新する。
【選択図】図２【図１】
0006704162.tif 000002
【図２】
0006704162.tif 000003
【図３】
0006704162.tif 000004
【図４】
0006704162.tif 000005
【図５】
0006704162.tif 000006
【図６】
0006704162.tif 000007